(57)【要約】【課題】簡易な構成でドアポケットの取り付けができるドアポケットの取付構造を提供する。【解決手段】冷蔵庫１の冷蔵室１２と対向する裏面２０Ａの周縁を凹設することで形成された枠状の装着溝２４を有する扉本体２０と、装着溝２４に装着されるガスケット５０と、を備えた冷蔵庫１の扉１６Ｂに対してドアポケット７０Ｕ、７０Ｄを取り付けるドアポケットの取付構造であって、ドアポケット７０Ｕ、７０Ｄには、扉本体２０の高さ方向に延設される取付部材４０が設けられ、取付部材４０の上端には引掛部４１が形成され、引掛部４１を、装着溝２４のうち上辺の装着溝２４Ａに引っ掛けるとともに、ドアポケット７０Ｕ、７０Ｄを、裏面２０Ａから浮き上がることを規制した状態に保持する接着部材２８を介して扉本体２０に取り付ける。【選択図】図２
2010091197.tif 000002
【特許請求の範囲】
【請求項１】
貯蔵庫の庫内と対向する対向面の周縁を凹設することで形成された枠状の装着溝を有する扉本体と、
前記装着溝に装着されるガスケットと、を備えた貯蔵庫の扉に対してドアポケットを取り付けるドアポケットの取付構造であって、
前記ドアポケットには、前記扉本体の高さ方向に延設される取付部材が設けられ、
前記取付部材の上端には引掛部が形成され、前記引掛部を、前記装着溝のうち上辺の装着溝に引っ掛けるとともに、
前記ドアポケットを、前記対向面から浮き上がることを規制した状態に保持する補助保持部材を介して前記扉本体に取り付けることを特徴とするドアポケットの取付構造。
【請求項２】
請求項１に記載のドアポケットの取付構造であって、
前記ドアポケットと前記取付部材とは別体で構成されており、
前記取付部材には取付突起又は取付溝のいずれか一方が形成され、
前記ドアポケットに形成された取付突起又は取付溝の他方と嵌合させることで、前記取付部材に対して前記ドアポケットを着脱可能としたドアポケットの取付構造。  
【請求項３】
請求項２に記載のドアポケットの取付構造であって、
前記取付部材には前記取付突起又は取付溝のいずれか一方が複数箇所に形成され、
前記取付部材の複数箇所に前記ドアポケットを選択的に着脱可能としたドアポケットの取付構造。
【請求項４】
請求項２又は３に記載のドアポケットの取付構造であって、
前記取付部材は、前記扉本体の幅方向に複数配置され、前記複数の取付部材の取付突起又は取付溝によって、前記ドアポケットを幅方向に橋渡しするように取り付けることを特徴とするドアポケットの取付構造。
【請求項５】
請求項１ないし４のいずれか一項に記載のドアポケットの取付構造であって、
前記補助保持部材は、
前記対向面に対して前記取付部材を接着させる接着部材であることを特徴とするドアポケットの取付構造。
【請求項６】
請求項１ないし４のいずれか一項に記載のドアポケットの取付構造であって、
前記補助保持部材は、
前記取付部材に設けられ、前記扉本体の幅方向において、左右いずれか一方に延設される幅方向取付部材と、
前記幅方向取付部材の先端に形成された補助引掛部と、
を備え、
前記補助引掛部を前記装着溝のうち左右いずれか一方の装着溝に引っ掛けることを特徴とするドアポケットの取付構造。
【請求項７】
請求項１ないし４のいずれか一項に記載のドアポケットの取付構造であって、
前記補助保持部材は、
前記取付部材に設けられ、下方に延設される下方向取付部材と、
前記下方向取付部材の下端に形成された下側引掛部と、
を備え、
前記下側引掛部を前記装着溝のうち下辺の装着溝に引っ掛けることを特徴とするドアポケットの取付構造。
【発明の詳細な説明】
【技術分野】
【０００１】
本発明は、冷蔵庫等の貯蔵庫におけるドアポケットの取付構造に関する。
【背景技術】
【０００２】
例えば、家庭用の冷蔵庫では、扉の内面に飲料水ボトルなどを収納するためのドアポケットが設けられているが、その取付構造としては、扉本体に支持部材がねじ止めされて固定され、この支持部材に対してドアポケットを支持するようにしたものが一般的である（例えば特許文献１参照）。
一方、業務用の冷蔵庫では、逆にドアポケットを設けないのが標準的であるが、ユーザのニーズ等により、ドアポケットを追加装備したい場合があり得る。
【特許文献１】特開平５−１８６５９号公報
【発明の開示】
【発明が解決しようとする課題】
【０００３】
ドアポケットを追加する場合、上記した取付構造に照らすと、まず扉本体に支持部材をねじ止めするべく、扉本体にねじ孔を開ける必要があるが、設置されている冷蔵庫の扉を開けてこのようなねじ孔を切ることは極めて難しい。扉本体を外せば、ねじ孔を切る作業は多少簡単とはなるが、今度は扉本体の着脱作業が大変である。いずれにしても、元々ドアポケットの取り付けが想定されていない扉についてドアポケットを追加装備するには、少なからず困難が伴うという問題があった。  
本発明は上記のような事情に基づいて完成されたものであって、簡易な構成でドアポケットの取り付けができるドアポケットの取付構造を提供することを目的とする。
【課題を解決するための手段】
【０００４】
本発明は、貯蔵庫の庫内と対向する対向面の周縁を凹設することで形成された枠状の装着溝を有する扉本体と、前記装着溝に装着されるガスケットと、を備えた貯蔵庫の扉に対してドアポケットを取り付けるドアポケットの取付構造であって、前記ドアポケットには、前記扉本体の高さ方向に延設される取付部材が設けられ、前記取付部材の上端には引掛部が形成され、前記引掛部を、前記装着溝のうち上辺の装着溝に引っ掛けるとともに、前記ドアポケットを、前記対向面から浮き上がることを規制した状態に保持する補助保持部材を介して前記扉本体に取り付けることに特徴を有する。
【０００５】
上辺の装着溝に引掛部を取り付け、その後、装着溝にガスケットを装着する。これによって、ドアポケットを扉本体に対して取り付けることができる。これと同時に補助保持部材によって前記ドアポケットが前記扉本体に対して浮き上がることを防止する。上記のように、ガスケットを装着する装着溝を利用してドアポケットの取り付けができるため、扉側に取り付け孔などを新たに加工する必要がない。このため、元々ドアポケットの取り付けを想定していない扉に対しても、ドアポケットを容易に取り付けることができる。
【０００６】
なお、以下のような構成としてもよい。
（１）前記ドアポケットと前記取付部材とは別体で構成されており、前記取付部材には取付突起又は取付溝のいずれか一方が形成され、前記ドアポケットに形成された取付突起又は取付溝の他方と嵌合させることで、前記取付部材に対して前記ドアポケットを着脱可能としたことを特徴とする。このようにすれば、取付部材に対してドアポケットが着脱可能であるため、使用状況に応じて、形状の異なるドアポケットを付け替えることができる。また、ドアポケットのみを取付部材から取り外すことができるため、ドアポケットの清掃なども容易に行うことができる。
（２）前記取付部材には前記取付突起又は取付溝のいずれか一方が複数箇所に形成され、前記取付部材の複数箇所に前記ドアポケットを選択的に着脱可能としたことを特徴とする。このようにすれば、ドアポケットの使用状況に応じて、ドアポケットの取付位置を変更できる。
（３）前記取付部材は、前記扉本体の幅方向に複数個配置され、前記複数の取付部材の取付突起又は取付溝によって、前記ドアポケットを幅方向に橋渡しするように取り付けることを特徴とする。このようにすれば、ドアポケットを幅方向の複数箇所で、より安定して支持できる。
【０００７】
（４）前記補助保持部材は、前記対向面に対して前記取付部材を接着させる接着部材であることを特徴とする。このようにすれば、上辺の装着溝に引掛部を取り付けると同時に、接着部材によって対向面に対して取付部材が接着されるため、作業性がよい。
（５）前記補助保持部材は、前記扉本体の幅方向において、左右どちらか一方に延設される幅方向取付部材と、前記幅方向取付部材の先端に形成された補助引掛部を備え、前記補助引掛部を前記装着溝のうち左右どちらか一方の装着溝に引っ掛けることを特徴とする。このようにすれば、引掛部が上辺の装着溝に引っ掛かることで、縦方向のずれが規制され、補助引掛部が左右どちらか一方の装着溝に引っ掛かることで、幅方向のずれが規制される。これによって、ドアポケットの浮き上がりを防止すると同時に扉本体に対してドアポケットをより確実に保持できる。
【０００８】
（６）前記補助保持部材は、前記取付部材に設けられ、下方に延設される下方向取付部材と、前記下方向取付部材の下端に形成された下側引掛部と、を備え、前記下側引掛部を前記装着溝のうち下辺の装着溝に引っ掛けることを特徴とする。このようにすれば、取付部材は装着溝のうち上辺の装着溝と下辺の装着溝の２箇所で取り付られる。このため、扉本体に対してドアポケットの浮き上がりを防止できる。
【発明の効果】
【０００９】
本発明によれば、元々、ドアポケットの取り付けが想定されていない扉について、簡易な構成でドアポケットの取り付けができる。
【発明を実施するための最良の形態】
【００１０】
＜実施形態１＞
本発明の実施形態１を図１ないし図１３によって説明する。
この実施形態では、横型の冷蔵庫（テーブル型冷蔵庫）の扉にドアポケットを取り付ける場合を例示している。
図１は扉が開放された状態の冷蔵庫１の斜視図である。
図１において、冷蔵庫本体１０は、前面に開口した横長の断熱箱体によって構成され、底面の四隅に配された脚１１によって、床面から所定寸法浮いた状態で支持されている。この冷蔵庫本体１０の内部が冷蔵室１２とされ、適宜に棚網１３が装着可能となっている。
【００１１】
上記した冷蔵室１２の前面の開口部が出入口１５となり、この出入口１５には、左右一対の扉１６が装着されている。両扉１６は、左側の扉１６Ａの左側縁が出入口１５の左側縁に、また右側の扉１６Ｂの右側縁が出入口１５の右側縁にそれぞれヒンジ（図示せず）によって支持され、縦軸回りに回動して観音開き式に開閉可能となっている。
本実施形態では、右側の扉１６Ｂに対してドアポケットを取り付ける取付構造を例示する。
【００１２】
図２は扉１６Ｂの裏側にドアポケットを取り付ける取付構造を示す斜視図であって、図３は各部品を分離した斜視図である。
扉１６Ｂは、筐体内に断熱材が充填された断熱扉であって、方形をなす扉本体２０と、扉本体２０に装着される枠状のガスケット５０を主体に構成されている。具体的には、扉本体２０の裏面２０Ａの周縁を凹設することで枠状の装着溝２４が形成されており、この装着溝２４にガスケット５０が装着される。これによって、扉１６Ｂを閉じた際には、ガスケット５０が冷蔵庫本体１０側の対応する箇所に密着することによって、冷蔵庫本体１０内部の冷気が外部に流出することを防止している。なお、扉本体２０の裏面２０Ａは、本実施形態では、特許請求の範囲に記載の「対向面」の一例である。
【００１３】
そして、装着溝２４には、複数本（本実施形態では２本）の取付部材４０が取り付けられ、両取付部材４０には、形状の異なる２種類のドアポケット７０Ｕ、７０Ｄが取り付けられている。
２本の取付部材４０は、例えば樹脂製であって、それぞれ同じ形状をなしている。各取付部材４０は扉本体２０の高さ方向に延びる平板状をなし、その上端を扉本体２０に向かって折り曲げることで引掛部４１が形成されている。この引掛部４１を装着溝２４のうち上辺の装着溝２４Ａに引っ掛けることで、扉本体２０に対して、取付部材４０を取り付ける（詳しくは後述する）。そして、各取付部材４０には、扉本体２０の裏面と反対側に突き出すようにして嵌合部４２が形成されている。嵌合部４２は、高さ方向に所定の間隔を空けて複数箇所に形成されている（詳しくは後述する）。
【００１４】
また、２本の取付部材４０は、扉本体２０の幅方向において、それぞれドアポケット７０Ｕ、７０Ｄの幅に対応する間隔を空けて配置されており、ドアポケット７０Ｕ、７０Ｄは、両取付部材４０に対して幅方向に橋渡しするようにそれぞれ取り付けられ、幅方向の両端で安定して支持される。
【００１５】
図４はガスケット５０、取付部材４０が分離されている状態の断面図であり、図５はガスケット５０、取付部材４０が取り付られている状態の断面図である。
扉本体２０は、外装板２１、内装板２５及びガスケットホルダ３０を備え、これらを組み付けることで形成された外殻体の内部に、例えば、発泡ウレタン等の発泡樹脂からなる断熱材２７を充填することで形成される。
外装板２１は、方形をなすステンレス鋼板等の金属板製であって、各周面２１Ａの開口縁を、内向きに直角曲げすることで、フランジ２１Ｂが形成されている。
ガスケットホルダ３０は枠状をなしており、フランジ２１Ｂの先端に重なるように取り付られる外周部３１、外周部３１よりも手前（図４の右側）に位置する内周部３２、図４の右側に向かって下降傾斜し、外周部３１と内周部３２を連結する連結部３３とを備えており、外周部３１の端部がフランジ２１Ｂの先端に重なるようにして、外装板２１に取り付けられる。
【００１６】
外周部３１には前述した装着溝２４が全周にわたって連続して形成されている。装着溝２４は、あり溝のように溝底から開口縁に向けて次第に溝幅が狭くなった形状である。これによって、装着溝２４の上下開口端は、幅方向の内側に向かってそれぞれ突出する突出部２４Ｂとなっている。内周部３２の内周側の端部は、断面がクランク状に形成されており、他の箇所よりも奥側（図４の左側）に位置する内装板嵌合部３２Ａとなっている。
【００１７】
内装板２５は、ステンレス鋼板等の金属平板を外装板２１よりも一回り小さく形成したもので、扉本体２０の裏面における中央の大部分を構成している。内装板２５の外周縁は内装板嵌合部３２Ａに嵌合される。これによって、扉本体２０の裏面２０Ａは、フランジ２１Ｂ、ガスケットホルダ３０、内装板２５の各表面から構成され、内装板２５及び内周部３２によって構成される裏面２０Ａの一部はフラットな面となっている。
【００１８】
前述した取付部材４０の引掛部４１はフック状をなしており、装着溝２４の下側の突出部２４Ｂに引っ掛かる形状となっている。また、取付部材４０の上端付近は内周部３２の内周側の端部形状に対応したクランク状をなしている。これによって、図５に示すように、突出部２４Ｂに引掛部４１を引っ掛けた状態では、引掛部４１の基部４１Ａが連結部３３に当接し、取付部材４０の裏面４０Ａは内周部３２及び内装板２５と当接可能となる。
【００１９】
また、引掛部４１の厚さは装着溝２４の幅に対して、ある程度薄く設定されており、引掛部４１を突出部２４Ｂに引っ掛けた状態であっても、後述するガスケット５０を装着溝２４に支障なく取り付けることができる。
そして、取付部材４０の裏面４０Ａは、内周部３２及び内装板２５と例えば、両面テープなどの接着部材２８を介して接着され、取付部材４０が浮き上がることを規制している。なお、接着部材２８は、本実施形態では特許請求の範囲に記載の「補助保持部材」の一例である。
【００２０】
ガスケット５０は、ゴム材の押出成形によって形成され、図４に示すように、扉本体２０に向かって、やじり形をなす差込部５１が突設されている。この差込部５１の幅（図４では上下方向の長さ）は、装着溝２４の幅より、若干大きく設定してあり、これを装着溝２４に挿入することで、ガスケット５０の装着が行われる。
【００２１】
ガスケット５０の表側（図４の右側）には収容室５４が形成され、そこにはマグネット５３が収容されている。これによって、扉１６Ｂを閉じた時に、マグネット５３が冷蔵庫本体１０に吸着することで、扉１６Ｂを閉じた状態が保持される。また、ガスケット５０の内部には複数の空気室５２が形成されている。ガスケット５０の内周面には、図示３枚のヒレ部５５が形成されている。ガスケット５０が正規に装着された場合は、図５に示すように、各ヒレ部５５が取付部材４０の表面に弾性的に当てられるようになっている。
【００２２】
図６は取付部材４０の上側に取り付けられるドアポケット７０Ｕの斜視図であり、図７はドアポケット７０Ｕの背面図である。ドアポケット７０Ｕは、例えば、一体成形された合成樹脂部品であり、幅方向に長い形状をなしている。具体的には、底壁７１から、前壁７２と側壁７３とが同じ高さで立設されており、上面と後面とが開口されている。ドアポケット７０Ｕが取り付けられた状態では、このドアポケット７０Ｕの各壁面と扉本体２０の裏面２０Ａとで囲まれた空間がドアポケット７０Ｕの収納空間Ｓ１となる。
【００２３】
各側壁７３の後端には、側壁７３とほぼ同じ高さであって、側壁７３と直交するように係合壁７５がそれぞれ形成されている。図７にて示すように係合壁７５の上下両端からは、幅方向（図７の左右）に取付突起７６がそれぞれ突出されている。取付突起７６は、取付部材４０のそれぞれの各嵌合部４２と着脱自在に係合することで、取付部材４０に対してドアポケット７０Ｕを着脱可能としている。
【００２４】
図８はドアポケット７０Ｕの各取付突起７６を取付部材４０の各取付溝４２Ａに引っ掛ける直前の状態を示す正面図であり、図９はドアポケット７０Ｕの各取付突起７６を取付部材４０の各取付溝４２Ａにそれぞれ引っ掛けた状態を示す正面図である。なお、図８、９では、前壁７２を点線で図示している。
また、図１０は各取付突起７６を取付部材４０の各取付溝４２Ａに引っ掛ける動作の前後を示す縦方向の断面図である（図９のＡ−Ａ線で切断した断面図）。なお、各取付突起７６を取付部材４０の各取付溝４２Ａに引っ掛ける直前の状態を２点鎖線で図示している。
【００２５】
取付部材４０の幅方向の両端には、前述した嵌合部４２が左右対称となるように配置されている。そして、左右一対の両嵌合部４２は高さ方向に間隔を空けて複数段（本実施形態では７段、図８では、上側の５段を図示）形成されている。本実施形態では、各嵌合部４２は取付部材４０の上半分側に５段形成され、下端付近に２段形成されている。
【００２６】
各嵌合部４２は、幅方向に延設された支持部４３と、支持部４３の外側の端部から高さ方向に延設された左右規制部４４とを図８の正面視でＬ字型をなすように一体的に形成し、それらの手前側を覆うようにして、方形状の手前側規制部４５を一体的に形成することで構成されている。これによって支持部４３、左右規制部４４、手前側規制部４５及び取付部材４０に囲まれた空間がドアポケット７０Ｕの取付突起７６を挿入可能な取付溝４２Ａとなる。なお、図８では、支持部４３と左右規制部４４は、点線で図示している。
【００２７】
次に、ドアポケット７０Ｕの係合壁７５について説明する。
係合壁７５は、高さ方向に長い形状をなしており、その上端には、幅方向（図８の左右方向）にそれぞれ突出して上側取付突起７６Ｕが形成されており、下端には、幅方向にそれぞれ突出して下側取付突起７６Ｄが形成されている。また、上側取付突起７６Ｕの上端からは、上端突部７７がさらに幅方向に突出して形成されている。
【００２８】
高さ方向（図８の上下方向）において、上側取付突起７６Ｕの長さａ１は、取付溝４２Ａの長さｂ１とほぼ同じで設定されており、下側取付突起７６Ｄの高さａ５は、取付溝４２Ａの長さｂ１とほぼ同じ又は短くなるように設定されている。また、上側取付突起７６Ｕと下側取付突起７６Ｄの幅方向の突出量は同じであって、左右両側の取付突起７６を含む係合壁７５の幅ａ３は、左右の嵌合部４２の各支持部４３の間隔ｂ３とほぼ同じで設定されている。
【００２９】
そして、高さ方向において、上端突部７７と上側取付突起７６Ｕとの合計の長さａ２は、各嵌合部４２の高さ方向の間隔ｂ２より小さく設定され、左右両側の取付突起７６を含まない係合壁７５の幅ａ４は、左右の手前側規制部４５の間隔ｂ４よりも小さく設定されている。
また、図１０で示すように、前後方向において（図１０の左右方向）、取付突起７６の厚さａ６は、手前側規制部４５と取付部材４０との間隔ｂ６とほぼ同じで設定されている。
以上の構成によって、図８で示す係合壁７５を取付部材４０の表面に接触させた状態から、係合壁７５を下げることで、各取付突起７６を、対応する各嵌合部４２の取付溝４２Ａに嵌合させる（図９参照）ことが可能な構成となっている。
【００３０】
図１１は取付部材の下側に取り付けられるドアポケット７０Ｄの斜視図である。ドアポケット７０Ｄは、ドアポケットＵと同様に一体成形された合成樹脂部品であり、幅方向に長い形状をなしている。具体的には、底壁７１Ｄから、前壁７２Ｄと側壁７３Ｄとが同じ高さで立設されており、上面と後面とが開口されている。そして、側壁７３Ｄの後端には、係合壁７５が形成されている。
また、側壁７３Ｄの上部は、前壁７２Ｄ側に向かって下降傾斜しており、前壁７２Ｄは係合壁７５より低くなっている。なお、両係合壁７５の配置間隔及び形状はドアポケット７０Ｕと同じであるため同一の符号を付して説明を省略する。
【００３１】
ドアポケット７０Ｄが取り付けられる下側の２段の各嵌合部４２（以下、嵌合部４２Ｄ）は、それぞれ、高さ方向において上側取付突起７６Ｕと下側取付突起７６Ｄとの間隔に対応するように配置されており、上側取付突起７６Ｕと下側取付突起７６Ｄをそれぞれ嵌合可能となっている。
【００３２】
本実施形態のドアポケットの取付構造は上記のような構造である。次に扉１６Ｂに各ドアポケットを取り付ける手順を説明する。
まず、図４で示すガスケット５０が分離している状態の扉本体２０に取付部材４０を取り付ける。具体的には、２本の取付部材４０をドアポケット７０の幅に対応した間隔で配置するようにして、各取付部材４０の引掛部４１を上辺の装着溝２４Ａの突出部２４Ｂに引っ掛ける。この時、予め取付部材４０の裏面４０Ａ又は内周部３２及び内装板２５の対応する箇所に、接着部材２８を付けておくことで、取付部材４０と内周部３２又は取付部材４０と内装板２５とが接着部材２８を介して接着される。
【００３３】
次に、ガスケット５０の差込部５１を装着溝２４に挿入する。これによって、図５にて示すように、差込部５１の先端が潰れることで、装着溝２４の内周面に密着する。これと同時に、ガスケット５０の裏面の一部や、ヒレ部５５が取付部材４０に押し付けられる。これによって、取付部材４０の上端部はガスケットホルダ３０とガスケット５０とに挟まれるため、より安定して扉本体２０に保持される。
【００３４】
次に取付部材４０にドアポケット７０Ｕを取り付ける。
図１２はドアポケット７０Ｕを取付部材４０の上側に引っ掛ける直前の状態を示す斜視図である。
本実施形態では、各嵌合部４２は取付部材４０の上側に５段、下側に２段ずつ形成されており、各嵌合部４２に選択的にドアポケット７０Ｕを取り付けることができる。ここでは、最上段の両嵌合部４２と、上から３段目の両嵌合部４２とにドアポケット７０Ｕを取り付ける場合を説明する。
【００３５】
まず左右両側の係合壁７５を対応する各取付部材４０に当接させる。このとき、両係合壁７５の各上側取付突起７６Ｕ（計４箇所）が、それぞれ最上段の各嵌合部４２の上方に配置させると同時に、両係合壁７５の各下側取付突起７６Ｄ（計４箇所）が、それぞれ上から３段目の各嵌合部４２の上方に配置させるようにする。この状態から、ドアポケット７０Ｕを下にずらすようにすれば、各上側取付突起７６Ｕが最上段の各嵌合部４２にそれぞれ嵌合されると同時に、各下側取付突起７６Ｄが上から３段目の各嵌合部４２にそれぞれ嵌合される。
【００３６】
これによって、図９にて示すように、各取付突起７６は支持部４３によって支持されると同時に、左右規制部４４によって幅方向の移動が規制され、さらには、図１０にて示すように、手前側規制部４５と取付部材４０によって、前後方向への移動が規制される。また、各上端突部７７の下面が各左右規制部４４の上面に当接することで、より確実に係合壁７５の支持がされる。以上の作業によって、ドアポケット７０Ｕの取付が完了する。
【００３７】
次に、ドアポケット７０Ｄを取付部材４０へ取り付ける。
図１３はドアポケット７０Ｄを取付部材４０の下側に引っ掛ける直前の状態を示す斜視図である。
ドアポケット７０Ｄを下側の嵌合部４２Ｄに取り付ける場合は、ドアポケット７０Ｄの各上側取付突起７６Ｕを上側の各嵌合部４２Ｄへ嵌合させると同時に、各下側取付突起７６Ｄを下側の各嵌合部４２Ｄへ嵌合させる。以上の作業によって、ドアポケット７０Ｄの取付が完了する。
【００３８】
本実施形態では、各嵌合部４２は取付部材４０の上側に５段、下側に２段ずつ形成されており、各嵌合部４２に選択的にドアポケット７０を取り付けることができる。例えば上側の５段の各嵌合部４２について、ドアポケット７０を取り付ける場合は、２段目と４段目の各嵌合部４２又は３段目と５段目の各嵌合部４２にそれぞれ上側取付突起７６Ｕ及び下側取付突起７６Ｄを嵌合可能である。なお、ドアポケット７０Ｕ、７０Ｄの係合壁７５は同形状で構成されているため、ドアポケット７０Ｕを下側の２段の各嵌合部４２Ｄに取り付けたり、ドアポケット７０Ｄを上側の５段の各嵌合部４２に選択的に取り付けることも可能である。
【００３９】
以上述べたように、本実施形態では、上辺の装着溝２４Ａに引掛部４１を取り付けることで、取付部材４０を扉本体２０に対して取り付けることができ、取付部材４０を介して、ドアポケット７０Ｕ、７０Ｄを取り付ける構成とした。このように、ガスケット５０を装着するために元々形成されている装着溝２４を利用してドアポケット７０Ｕ、７０Ｄの取り付けができるため、扉本体２０に取り付け孔などを新たに加工する必要がない。このため、元々ドアポケットの取り付けを想定していない扉に対しても、ドアポケットを容易に取り付けることができる。
また、ドアポケット７０Ｕ、７０Ｄを使用しない場合は、取付部材４０を扉本体２０から取り外しておけばよい。取付部材４０を外した状態では、冷蔵庫の庫内と対向する扉１６Ｂの裏面を平坦な面とできる。このため、扉１６Ｂを閉めたときに冷蔵庫本体１０の収容スペースを妨げることがない。
【００４０】
また、本実施形態では、取付部材４０に対してドアポケット７０Ｕ、７０Ｄが着脱可能であるため、使用状況に応じて、形状の異なるドアポケットを付け替えることができる。また、ドアポケット７０Ｕ、７０Ｄのみを取付部材４０から取り外すことができるため、ドアポケット７０Ｕ、７０Ｄの清掃なども容易に行うことができる。
また、取付部材には嵌合部４２が複数箇所に形成され、取付部材４０の複数箇所にドアポケット７０Ｕ、７０Ｄを選択的に着脱可能である。このようにしておけば、使用状況に応じて、ドアポケット７０Ｕ、７０Ｄの取付位置を変更できる。
【００４１】
また、取付部材４０は、扉本体２０の幅方向に複数本（２本）配置され、ドアポケット７０Ｕ、７０Ｄは２本の取付部材４０の取付溝４２Ａによって幅方向に橋渡しするように取り付けられている。このようにしておけば、ドアポケット７０Ｕ、７０Ｄは幅方向の２箇所で、より安定して支持される。
また、両面テープなどの接着部材２８によって、扉本体２０の裏面に対して取付部材４０を接着させる構成とした。このようにしておけば、上辺の装着溝２４Ａに引掛部４１を取り付けると同時に、接着部材２８によって扉本体２０の裏面に対して取付部材４０が接着され、その浮き上がりが防止されるため作業性がよい。
【００４２】
＜実施形態２＞
図１４は、本発明の実施形態２に適用されたドアポケットの取付構造の斜視図である。前記実施形態１と同一の構成については同一符号を付して重複する説明を省略し、異なるところについてのみ説明する。
実施形態２の取付構造においては、取付部材１４０とドアポケット１７０が一体的に形成されており、ドアポケット１７０の後側で取付部材１４０の表面と連結されている。
また、実施形態１では補助保持部材として、接着テープなどの接着部材を例示したが、本実施形態では、補助保持部材として、幅方向取付部材１５０をドアポケット１７０と一体的に形成している。
【００４３】
幅方向取付部材１５０は、ドアポケット１７０の図１４における右側の側壁１７３Ｒの後端から、扉本体２０の幅方向において右方に延設されている。幅方向取付部材１５０の先端は、補助引掛部１５２が形成されている。補助引掛部１５２は、取付部材１４０の引掛部４１と同じ形状をなし、装着溝２４のうち、右側の装着溝２４Ｒに引っ掛ける構成となっている。
【００４４】
上記の構成により、扉本体２０に取付部材１４０を取り付けた際には、取付部材１４０の引掛部４１が上辺の装着溝２４Ａに引っ掛かることで、取付部材１４０の縦方向のずれが規制される。これと同時に、補助引掛部１５２が右側の装着溝２４Ｒに引っ掛かることで、取付部材１４０の幅方向のずれが規制される。このように、上方向と幅方向の２箇所の装着溝２４Ａに対して、引掛部を引っ掛ける構成とすることで、扉本体２０に対して、ドアポケット１７０及び取付部材１４０の浮き上がりを防止すると同時に、ドアポケット１７０をより確実に保持できる。
【００４５】
＜実施形態３＞
図１５は、本発明の実施形態３に適用されたドアポケットの取付構造の斜視図である。前記実施形態１及び２と同一の構成については同一符号を付して重複する説明を省略し、異なるところについてのみ説明する。
実施形態３の取付構造においては、補助保持部材として接着部材２８の代わりに、下方向取付部材１５４をドアポケット１７０と一体的に形成してある。下方向取付部材１５４はドアポケット１７０の底壁１７１の後端から、下方に延設されており、その下端は下側引掛部１５６が形成されている。下側引掛部１５６は、取付部材１４０の引掛部４１と同じ形状をなし、装着溝２４のうち、下辺の装着溝２４Ｄに引っ掛ける構成となっている。
【００４６】
上記の構成により、扉本体２０に取付部材１４０を取り付けた際には、取付部材１４０の引掛部４１が上辺の装着溝２４Ａに引っ掛かると同時に、下側引掛部１５６が下辺の装着溝２４Ｄに引っ掛かる。このようにしておけば、扉本体２０に対して、ドアポケット１７０及び取付部材１４０の浮き上がりを防止することができる。
【００４７】
＜他の実施形態＞
本発明は上記記述及び図面によって説明した実施形態に限定されるものではなく、例えば、次のような実施形態も本発明の技術的範囲に含まれる。
（１）各ドアポケット７０、１７０の形状、大きさは各実施形態で示したものに限定されず、適宜変更可能である。
（２）実施形態１においては、嵌合部４２を取付部材４０の両端に配置し、高さを変えることで複数段配置する構成としたが、嵌合部４２の配置はこの構成に限定されない。例えば、嵌合部４２を幅方向に位置をずらして複数個配置してもよい。このようにすれば、幅方向においてドアポケットの取付位置を変更可能となる。
（３）実施形態１においては、嵌合部４２の段数を上側に５段、下側に２段としたが、これに限定されない。例えば、嵌合部の段数を増減してもよく、１段のみとしてもよい。
【００４８】
（４）実施形態１においては、取付部材４０は２本配置する構成としたが、これに限定されない。例えば、ドアポケット７０Ｕ、７０Ｄの幅に合わせた幅広の取付部材を１本のみ配置してもよい。また３本以上の取付部材４０を配置する構成としてもよい。この場合は、ドアポケット側に取付部材４０の数と同数の係合壁７５を形成し、各係合壁７５の取付突起７６を各取付部材４０に取り付ればよい。
（５）実施形態１においては、取付部材４０に取付溝４２Ａを形成し、ドアポケット７０に取付突起７６を形成する構成としたが、この構成を逆にしてもよく、取付部材４０に取付突起７６を形成し、ドアポケット７０に取付溝４２Ａを形成する構成としてもよい。
【００４９】
（６）実施形態３においては、幅方向取付部材１５０を右方に延設し、補助引掛部１５２を右側の装着溝２４Ｒに引っ掛ける構成としたが、幅方向取付部材１５０を左方に延設し、補助引掛部１５２を左側の装着溝に引っ掛ける構成としてもよい。
（７）実施形態２及び３においては、保持補助部材として、幅方向取付部材１５０又は下方向取付部材１５４を例示したが、接着部材を併用して取付部材と扉の裏面４０Ａとを接着してもよい。
（８）上記各実施形態においては、内装板２５とガスケットホルダ３０とを別体とした構成を例示したが、内装板２５とガスケットホルダ３０とは一体の部品として構成されていてもよい。
（９）本発明は、冷蔵庫の扉に限定されず、その他の冷却貯蔵庫（冷凍庫等）や、温蔵庫等といった貯蔵庫全般の扉に対して適用することができる。
【図面の簡単な説明】
【００５０】
【図１】扉が開放された状態の冷蔵庫の斜視図
【図２】扉の裏側にドアポケットを取り付ける取付構造を示す斜視図
【図３】各部品を分離した斜視図
【図４】ガスケット、取付部材が分離されている状態の断面図
【図５】ガスケット、取付部材が取り付られている状態の断面図
【図６】取付部材の上側に取り付けられるドアポケットの斜視図
【図７】ドアポケットの背面図
【図８】ドアポケットの各取付突起を取付部材の各取付溝に引っ掛ける直前の状態を示す正面図
【図９】ドアポケットの各取付突起を取付部材の各取付溝にそれぞれ引っ掛けた状態を示す正面図
【図１０】各取付突起を取付部材の各取付溝に引っ掛ける動作の前後を示す縦方向の断面図（図９のＡ−Ａ線で切断した断面図）
【図１１】取付部材の下側に取り付けられるドアポケットの斜視図
【図１２】ドアポケットを取付部材の上側に引っ掛ける直前の状態を示す斜視図
【図１３】ドアポケットを取付部材の下側に引っ掛ける直前の状態を示す斜視図
【図１４】本発明の実施形態２に適用されたドアポケットの取付構造の斜視図
【図１５】本発明の実施形態３に適用されたドアポケットの取付構造の斜視図
【符号の説明】
【００５１】
１…冷蔵庫（特許請求の範囲に記載の「貯蔵庫」の一例）  １２…冷蔵室（特許請求の範囲に記載の「庫内」の一例）  １６Ｂ…扉  ２０…扉本体  ２０Ａ…裏面（特許請求の範囲に記載の「対向面」の一例）  ２４…装着溝  ２４Ａ…上辺の装着溝  ２４Ｄ…下辺の装着溝  ２４Ｒ…右側の装着溝（特許請求の範囲に記載の「左右どちらか一方の装着溝」の一例）  ２８…接着部材（特許請求の範囲に記載の「補助保持部材」の一例）  ４０…取付部材  ４１…引掛部  ４２Ａ…取付溝  ５０…ガスケット  ７０Ｕ、７０Ｄ、１７０…ドアポケット  ７６…取付突起  １５０…幅方向取付部材（特許請求の範囲に記載の「補助保持部材」の一例）  １５２…補助引掛部  １５４…下方向取付部材（特許請求の範囲に記載の「補助保持部材」の一例）  １５６…下側引掛部
【図１】
2010091197.tif 000003
【図２】
2010091197.tif 000004
【図３】
2010091197.tif 000005
【図４】
2010091197.tif 000006
【図５】
2010091197.tif 000007
【図６】
2010091197.tif 000008
【図７】
2010091197.tif 000009
【図８】
2010091197.tif 000010
【図９】
2010091197.tif 000011
【図１０】
2010091197.tif 000012
【図１１】
2010091197.tif 000013
【図１２】
2010091197.tif 000014
【図１３】
2010091197.tif 000015
【図１４】
2010091197.tif 000016
【図１５】
2010091197.tif 000017